(57)【要約】   【課題】  本発明は、携帯通信装置に保持している情報を情報管理サーバにおいて管理し、情報を携帯通信装置とリンクさせるためのＩＤを携帯通信装置で保持し、情報管理サーバを主導にして通信を開始する装置を提供することを目的とする。  【解決手段】  本願発明に係る情報処理装置は、情報処理装置の蓄積情報を管理することが可能な情報管理装置と通信可能な情報処理装置において、該蓄積情報と対応付けられ、該蓄積情報の中から所定の情報を識別する対応情報を格納可能な格納手段と、該格納手段に格納してある該対応情報を編集し管理することが可能な対応情報管理手段と、該対応情報管理手段において管理する情報を該情報管理装置に送信することを指示し、該蓄積情報の取得指示を行う情報操作手段と、該情報管理装置と該対応情報及び該蓄積情報を送受信可能な情報送受信手段とを有することを特徴とする。    【選択図】  図１
2007081517.tif 000002
【特許請求の範囲】
【請求項１】
情報処理装置の蓄積情報を管理することが可能な情報管理装置と通信可能な情報処理装置において、
該蓄積情報の中から所定の情報を識別して該情報管理装置から呼び出すための識別情報を格納する格納手段と、
該格納手段に格納してある該識別情報を編集し管理する識別情報管理手段と、
該識別情報管理手段において管理する情報を該情報管理装置に送信するために、該蓄積情報の取得指示を行い、該情報管理装置と該識別情報及び該蓄積情報を送受信する情報送受信手段と、
を有することを特徴とする情報処理装置。
【請求項２】
請求項１に記載の情報処理装置は、
該情報送受信手段において送受信する該識別情報及び該蓄積情報が一度の送受信可能か否かを判断する送受信情報容量判断手段と、
該送受信情報容量判断手段において、該識別情報及び該蓄積情報を一度に送受信できないと判断した場合に、該識別情報及び該蓄積情報を分割する情報分割手段と、
をさらに有することを特徴とする情報処理装置。
【請求項３】
情報処理装置と通信可能であって、情報処理装置の蓄積情報を管理することが可能な情報管理装置において、
該蓄積情報を格納する情報格納手段と、
該蓄積情報の中から所定の情報を識別して該情報管理装置から呼び出すための識別情報によって管理する情報管理手段と、
該蓄積情報及び該識別情報を検索可能な情報検索手段と、
該情報検索手段において、検索した識別情報を編集設定する識別情報設定手段と、
該情報処理装置と該識別情報及び該蓄積情報を送受信する情報送受信手段と、
を有することを特徴とする情報管理装置。
【請求項４】
情報処理装置の蓄積情報を管理することが可能な情報管理装置と該蓄積情報を通信可能とする情報蓄積プログラムにおいて、
該蓄積情報の中から所定の情報を識別して該情報管理装置から呼び出すための識別情報を格納する格納ステップと、
該識別情報を編集し管理する識別情報管理ステップと、
該識別情報管理手段において管理する情報を該情報管理装置に送信するために、該蓄積情報の取得指示を行い、該情報管理装置と該識別情報及び該蓄積情報を送受信する情報送受信ステップと、
をコンピュータに実行させることを特徴とする情報蓄積プログラム。
【請求項５】
情報処理装置の蓄積情報を管理することが可能な情報管理装置と該蓄積情報を通信可能とする情報蓄積方法において、
該蓄積情報の中から所定の情報を識別して該情報管理装置から呼び出すための識別情報を格納する格納手順と、
該識別情報を編集し管理する識別情報管理手順と、
該識別情報管理手段において管理する情報を該情報管理装置に送信するために、該蓄積情報の取得指示を行い、該情報管理装置と該識別情報及び該蓄積情報を送受信する情報送受信手順と、
からなることを特徴とする情報蓄積方法。
【発明の詳細な説明】
【技術分野】
【０００１】
本発明は、携帯通信装置等において、電話帳等に用いるためのメモリ量を抑え、携帯通信装置等の紛失による情報漏洩を防ぐ技術に関するものである。
【背景技術】
【０００２】
現在、携帯通信装置にはあらゆる情報が常時蓄積されている。その量は多く、またいろいろな機能が付随することによるメモリ不足が懸念されている。
【０００３】
また、携帯通信装置を紛失し、悪意をもった者の手に渡った場合等には、そのメモリ内容の情報を悪用される可能性がある。
【０００４】
上記の問題を解決する従来の情報処理装置に関するものとして特許文献１が存在する。
【特許文献１】特開２００２−９４６７２号公報  利用者は携帯電話機の電話帳に記憶されている電話番号をサーバの個人電話帳にアップロードし、利用者からの指示によりサーバは個人電話帳に記憶されている電話番号を携帯電話機へダウンロードするものである。
【０００５】
さらに以下の特許文献２も存在する。
【特許文献２】特開２００２−３３５３３４号公報  また、外出先においても電話装置内に記憶する電話帳データを容易にバックアップ可能であって、かつバックアップした電話帳データを容易に取得可能とするものである。
【発明の開示】
【発明が解決しようとする課題】
【０００６】
しかしながら、従来の技術はいずれも必要に応じて情報管理サーバ上から携帯通信装置所有者がダウンロードすることになりデータのバックアップはされているものの、携帯通信装置にはダウンロードして格納するためのメモリ量の確保が必要となる。
【０００７】
また、携帯通信装置を紛失した場合、通常、携帯通信装置には情報が蓄積されていることになり悪意の持った者の手にそれが渡った場合にはそれらの情報などが悪用される可能性がある。
【０００８】
そのため本発明は、例えば、電話帳、メールアドレス、装置ＩＤ等の携帯通信装置に保持している情報を携帯通信装置とは別の情報管理サーバにおいて管理し、情報を携帯通信装置とリンクさせるためのＩＤと所有者がそのＩＤがどのような情報か認識するための情報をのみを携帯通信装置で保持し、携帯通信装置の所有者が使用する場合には、発呼、メール送信等のアクションと対応するＩＤを情報管理サーバへ送信し、情報管理サーバを主導にして通信を開始する装置を提供することを目的とする。
【課題を解決するための手段】
【０００９】
本発明に係る情報処理装置は、情報処理装置の蓄積情報を管理することが可能な情報管理装置と通信可能な情報処理装置において、該蓄積情報の中から所定の情報を識別して該情報管理装置から呼び出すための識別情報を格納する格納手段と、該格納手段に格納してある該識別情報を編集し管理する識別情報管理手段と、該識別情報管理手段において管理する情報を該情報管理装置に送信するために、該蓄積情報の取得指示を行い、該情報管理装置と該識別情報及び該蓄積情報を送受信する情報送受信手段とを有することを特徴とする。
【００１０】
また本発明に係る情報管理装置は、該情報送受信手段において送受信する該識別情報及び該蓄積情報が一度の送受信可能か否かを判断する送受信情報容量判断手段と、該送受信情報容量判断手段において、該識別情報及び該蓄積情報を一度に送受信できないと判断した場合に、該識別情報及び該蓄積情報を分割する情報分割手段とをさらに有することを特徴とする。
【００１１】
また本発明に係る情報処理装置は、情報処理装置と通信可能であって、情報処理装置の蓄積情報を管理することが可能な情報管理装置において、該蓄積情報を格納する情報格納手段と、該蓄積情報の中から所定の情報を識別して該情報管理装置から呼び出すための識別情報によって管理する情報管理手段と、該蓄積情報及び該識別情報を検索可能な情報検索手段と、該情報検索手段において、検索した識別情報を編集設定する識別情報設定手段と、該情報処理装置と該識別情報及び該蓄積情報を送受信する情報送受信手段とを有することを特徴とする。
【００１２】
また本発明に係る情報蓄積プログラムは、情報処理装置の蓄積情報を管理することが可能な情報管理装置と該蓄積情報を通信可能とする情報蓄積プログラムにおいて、該蓄積情報の中から所定の情報を識別して該情報管理装置から呼び出すための識別情報を格納する格納ステップと、該識別情報を編集し管理する識別情報管理ステップと、該識別情報管理手段において管理する情報を該情報管理装置に送信するために、該蓄積情報の取得指示を行い、該情報管理装置と該識別情報及び該蓄積情報を送受信する情報送受信ステップと、をコンピュータに実行させることを特徴とする。
【００１３】
さらに本発明に係る情報蓄積方法は、情報処理装置の蓄積情報を管理することが可能な情報管理装置と該蓄積情報を通信可能とする情報蓄積方法において、該蓄積情報の中から所定の情報を識別して該情報管理装置から呼び出すための識別情報を格納する格納手順と、該識別情報を編集し管理する識別情報管理手順と、該識別情報管理手段において管理する情報を該情報管理装置に送信するために、該蓄積情報の取得指示を行い、該情報管理装置と該識別情報及び該蓄積情報を送受信する情報送受信手順とからなることを特徴とする情報蓄積方法。
【発明の効果】
【００１４】
本発明によれば、携帯通信装置に蓄積する情報を情報識別ＩＤと所有者が認識する情報のみをメモリ上に確保すればよいことから使用メモリ量の削減をすることができる。
【００１５】
また、携帯通信装置を紛失や水没した場合でも内容のメモリは情報管理サーバに格納してあるため、情報識別ＩＤと所有者が認識する情報を再度ダウンロードすれば同じ情報を扱うことができる。
【００１６】
また、悪意のある者に携帯通信装置を盗まれた場合であっても、携帯通信装置の装置ＩＤを無効とすることによって個人情報の漏洩を防ぐことができる。
【発明を実施するための最良の形態】
【００１７】
以下、本発明の実施形態について、図面を参照して説明する。
【００１８】
ここで携帯通信装置１００は、具体的には携帯電話機やＰＤＡ（Personal Digital Assistance）等の情報処理装置である。
なお、図３以降の太線及び太線矢印は、伝送路系交換機などの他装置との通知のやり取りを示したものである。
【００１９】
図１は本発明の実施例の携帯通信装置の構成を示すブロック図であり、図２は本発明の情報管理サーバの構成を示すブロック図である。図３は本発明の実施例の網の構成を示すブロック図である。
以降、情報管理サーバをサーバと称して説明する。
【００２０】
図１は、サーバと伝送路系交換機との無線通信を行う装置送受信手段１０１と、送受信時に情報を格納する送受信情報格納手段１０２と、詳細情報を扱うときに情報を管理する詳細情報管理手段１０３と、情報を表示し所有者に情報を教える情報表示手段１０４と、情報識別ＩＤと所有者が認識するための情報を管理する情報識別ＩＤ管理手段１０５と、全データをファイル形式で制御を行うためのファイル形式変換手段１０６と、送受信情報格納手段１０２、詳細情報管理手段１０３、情報表示手段１０４、情報識別ＩＤ管理手段１０５、ファイル形式変換手段１０６を制御操作する装置操作手段１０７を有する構成である。
【００２１】
装置送受信手段１０１は無線送受信部１０９とベースバンド部１１０を有し、ベースバンド部１１０は、通話信号やダイヤル信号等による搬送信号の変調や復調等を行い、無線送受信部１１０は、アンテナ１０８を通して基地局やネットワークからの無線信号の送信及び／又は受信を行い、提供される送受信情報を送受信情報格納手段１０２に格納する。
【００２２】
送受信情報格納手段１０２は、送受信情報を格納する記憶部を構成し、装置送受信手段１０１において送信または受信する携帯通信装置に関わる情報が格納されている。これらの送受信情報は装置操作手段により読み出されると共に、送受信情報格納手段１０２には基地局やネットワークから提供される情報の新たな情報が格納される。
【００２３】
そして送受信情報格納手段１０２は、ＲＯＭ（Read-Only Memory）、ＲＡＭ（Random-Access Memory）等を総括的に表しており、着脱可能な記録媒体で構成してもよく、電源を解除しても記憶内容を消失しないメモリとして例えば、フラッシュメモリなどによって構成してもよい。
【００２４】
詳細情報管理手段１０３は、装置操作手段１０７による制御に基づいて、詳細情報を管理する。
【００２５】
情報表示手段１０４は例えば、ＬＣＤ（Liquid Crystal Display）で構成される。この情報表示手段１０４には、文字、図形、写真画像等の情報が表示される。また図示はしないが、装置操作手段１０７による制御に基づいて情報の入出力を行うため、情報入力部としてキー入力部や、マイクロフォン、スピーカ等も設けられている。キー入力部は、情報入力に用いられ、マイクロフォンは、装置操作手段１０７に対する音声信号の取り込みに用いられる。また、スピーカは、装置操作手段１０７から出力される音声信号やマイクロフォンを通して取り込まれた音声信号の再生に用いられる。
【００２６】
ファイル形式変換手段１０６は、全データをファイル形式に変換する手段であり、たとえばテキスト形式にデータは変換する。
【００２７】
装置操作手段１０７は、ＣＰＵ、ＲＯＭ、ＲＡＭ等を備えたコンピュータで構成され、送受信情報格納手段１０２、詳細情報管理手段１０３、情報表示手段１０４、情報識別ＩＤ手段１０５、ファイル形式変換手段１０６等を用いる詳細情報管理制御、情報表示制御、情報識別ＩＤ制御、ファイル形式変換制御の各種制御を行う。
【００２８】
これらの制御は、装置操作手段１０７が有するＲＯＭに格納されている制御プログラムの実行等により処理される。ここで制御プログラムが格納されている場所はＲＯＭに限られることはなく、ＲＯＭに相当する他の記録媒体であっても構わない。
【００２９】
なお、携帯通信装置においての伝送路系交換機への従来機能などの所定機能に関する構成については図示および説明を省略するものとする。
【００３０】
図２において、サーバ２００は、携帯通信装置１００との無線通信を行い伝送路系交換機との有線通信を行うサーバ送受信手段２０１と、送受信時に情報を格納する送受信情報格納手段２０２と、情報識別ＩＤと詳細情報の関連を管理する情報識別ＩＤ管理手段２０３と、情報を格納する情報設定手段２０４と、格納されている情報を検索する情報検索手段２０５と、全データをファイル形式で制御を行うためのファイル形式変換手段２０６を有する構成である。
【００３１】
サーバ送受信手段２０１はベースバンド部２０８と無線送受信部２０９を有し、ベースバンド部２０８は、通話信号やダイヤル信号等による搬送信号の変調や復調等を行い、無線送受信部２０９は、アンテナ２０７を通して基地局やネットワークからの無線信号の送信及び／又は受信を行い、提供される送受信情報を送受信情報格納手段２０２に格納する。
【００３２】
送受信情報格納手段２０２は、送受信情報を格納する記憶部を構成し、サーバ送受信手段２０１において送信または受信する携帯通信装置１００に関わる情報が格納されている。これらの送受信情報は情報設定手段２０４により読み出されると共に、送受信情報格納手段２０２には基地局やネットワークから提供される情報の新たな情報が格納される。
【００３３】
そして送受信情報格納手段２０２は、ＲＯＭ（Read-Only Memory）、ＲＡＭ（Random-Access Memory）等を総括的に表しており、着脱可能な記録媒体で構成してもよく、電源を解除しても記憶内容を消失しないメモリとして例えば、フラッシュメモリなどによって構成してもよい。
【００３４】
情報識別ＩＤ管理手段２０３は、情報設定手段２０４による制御に基づいて、情報識別ＩＤと詳細情報の関連を管理する。
【００３５】
情報検索手段２０５は、送受信情報格納手段２０２に格納されている情報を検索する。ここで検索する情報は、例えば携帯通信装置の要求に基づいて、携帯通信装置に送信する情報や、内容を変更する情報、削除する情報等である。
【００３６】
ファイル形式変換手段２０６は、全データをファイル形式に変換する手段であり、たとえばテキスト形式にデータは変換する。
【００３７】
情報設定手段２０４は、ＣＰＵ、ＲＯＭ、ＲＡＭ等を備えたコンピュータで構成され、送受信情報格納制御、ファイル形式変換制御の各種制御を行う。
【００３８】
これらの制御は、情報設定手段２０４が有するＲＯＭに格納されている制御プログラムの実行等により処理される。ここで制御プログラムが格納されている場所はＲＯＭに限られることはなく、ＲＯＭに相当する他の記録媒体であっても構わない。
【００３９】
なお、ここでのサーバにおいては、本発明に直接関係しない伝送路系交換機などその他の装置、例えば、メールサーバ等の従来機能などの所定機能に関する構成については説明の都合上、図示および説明を省略するものとする。
【００４０】
図３において、網の構成は携帯通信装置３０１，３０２と無線通信を行う基地局３０３，３０４を介しサーバ３０５と接続されおり、携帯通信装置３０１，３０２の情報をサーバ３０５が管理し、携帯通信装置３０１，３０２とサーバ３０５間で情報の交換等行うものである。
【００４１】
また、伝送路系交換機３０６は、携帯通信装置３０１，３０２から基地局３０３，３０４を介し接続されており、両者をつなぐパスは携帯通信装置３０１から携帯通信装置３０２間の通話パス接続等が行われるためのものである。
【００４２】
また、サーバ３０５と伝送路系交換機３０６は接続されており、伝送路系交換機３０６はサーバ３０５からの呼接続・呼切断などの動作をうけることが可能である。
【００４３】
次に本発明の携帯通信装置１００の情報操作処理について、シーケンス図を参照して説明する。
図４は、携帯通信装置におけるサーバ格納情報の取得、例えば情報識別ＩＤ及び認識情報の取得時の処理を示すシーケンス図であり、図５は携帯通信装置におけるサーバ格納情報への新規情報設定のシーケンス図であり、図６は携帯通信装置におけるサーバ格納情報の情報表示のシーケンス図であり、図７は携帯通信装置におけるサーバ格納情報の情報変更のシーケンス図であり、図８は携帯通信装置におけるサーバ格納情報の削除のシーケンス図である。
【００４４】
図４において、まず携帯通信装置１００は、サーバ２００へ一括情報識別取得情報を装置送受信手段１０１を用いて通知する（ステップＳ４０１）。ここで一括情報識別取得情報は、携帯通信装置１００の所有者が認識できる認識情報であり、例えば携帯通信装置１００の送受信情報格納手段１０２内に格納されている携帯通信装置１００の所有者の友達や同僚等の名前、電話番号、メールアドレス等といった個々の詳細情報を指定する情報である。指定される詳細情報は、サーバ内に格納されている詳細情報であればいずれが指定されても構わない。
【００４５】
そしてサーバ２００は、携帯通信装置１００より受信した一括情報取得情報によって指定された詳細情報に対して情報識別ＩＤを付与し、携帯通信装置１００へ一括情報識別情報をサーバ送受信手段２０１を用いて通知する（ステップＳ４０２）。ここで一括情報識別情報は、情報識別ＩＤと認識情報より構成されるものである。
【００４６】
そして携帯通信装置１００はこれらの情報識別ＩＤ、指定した詳細情報を送受信情報格納手段２０２によって保存した後、それぞれを情報識別ＩＤ管理手段１０５及び詳細情報管理手段１０３によって管理し、サーバ２００との同期をとる。
【００４７】
また、情報が多量にある場合には一度で通知しきれないため、分割受信も可能とし随時情報設定を行うものとする。
【００４８】
携帯通信装置１００は、一括情報識別取得情報によって指定した詳細情報とそれらを識別するための情報識別ＩＤの全情報がサーバ２００より取得できた後、情報の取得が完了した旨の一括情報識別取得応答をサーバ２００より受信する（ステップＳ４０３）。
【００４９】
そして携帯通信装置１００は、サーバ２００より受信した一括情報識別取得情報によって指定した詳細情報とそれらを識別するための情報識別ＩＤの全情報の情報設定を行う（ステップＳ４０４）。
【００５０】
なお、一括情報取得応答は格納されている詳細情報の複数を選択可能とするが、携帯通信装置１００に保存する情報量については、情報領域のメモリ量によって格納できる情報数は制限されることとなるため、情報量の設定も可能なものとし、所有者の使用用途により可変可能な構成とする。
図５において、まず携帯通信装置１００において、サーバ２００へ格納するために、装置操作手段１０７による制御に基づき、詳細情報管理手段によって詳細情報の設定編集を行う（ステップＳ５０１）。
【００５１】
携帯通信装置１００は、サーバ２００へ意味の持たない情報識別ＩＤと詳細情報と情報設定情報を装置送受信手段１０１を用いて通知する（ステップＳ５０２）。ここで意味の持たない情報識別ＩＤとは、サーバ２００に未登録であって新たに登録する詳細情報に対する情報識別ＩＤであって、詳細情報に未だに付与されていないことを明示したものである。図中では「意味を持たない」と表すために情報識別ＩＤの後続に「なし」と記載して示してある。
サーバ２００は、携帯通信装置１００から受信した詳細情報を送受信情報格納手段２０２に登録完了した後、情報設定応答として、設定要求した詳細情報の情報識別ＩＤを携帯通信装置１００にサーバ送受信手段２０１を用いて返信する（ステップＳ５０３）。
携帯通信装置１００は、装置操作手段１０７の制御に基づいて、情報識別ＩＤ管理手段１０５および詳細情報管理手段１０３により、情報識別ＩＤの設定を行いサーバ２００と同期をとる（ステップＳ５０４）。
【００５２】
図６において、まず携帯通信装置１００は、サーバ２００へ情報識別ＩＤと情報取得情報を装置送受信手段１０１を用いて通知する（ステップＳ６０１）。
【００５３】
サーバ２００は、携帯通信装置１００へ情報取得応答を送信する（ステップＳ６０２）。情報取得応答は、情報識別ＩＤと名前とメールアドレスなどといったサーバ内に登録してある詳細情報より構成されるものである。
【００５４】
これにより、携帯通信装置１００の所有者は、携帯通信装置１００の情報表示手段１０４を用いて、サーバ２００より受信した詳細情報等を表示する（ステップＳ６０３）ことによってサーバ２００に格納してある情報を確認することができる。
【００５５】
携帯通信装置内には基本的には、詳細情報は格納しないため、サーバ内に格納されている詳細情報を確認したい場合に用いられるフローチャートである。
【００５６】
なお、情報表示手段１０４を用いて表示した詳細情報等は編集することも可能であってもよい。
【００５７】
図７において、情報に変更が生じた場合には、まず携帯通信装置１００は、サーバ２００へ情報識別ＩＤと情報取得情報を装置送受信手段１０２を用いて通知する（ステップＳ７０１）。
【００５８】
そしてサーバ２００は、携帯通信装置１００へ情報取得応答を返信する（ステップＳ７０２）。情報取得応答は、情報識別ＩＤと名前とメールアドレスなどといったサーバ内に登録してある詳細情報より構成されるものである。
【００５９】
携帯通信装置１００の所有者は、携帯通信装置１００の情報表示手段１０４を用いて、サーバ２００より受信した詳細情報等を表示し、サーバ２００に格納してある情報を確認する（ステップＳ７０３）。
【００６０】
携帯通信装置１００は、装置操作手段１０７の制御に基づいて、詳細情報管理手段１０３によって詳細情報の内容変更編集を行う（ステップＳ７０４）。
【００６１】
そして携帯通信装置１００は、変更対象となる詳細情報の情報識別ＩＤと詳細情報を情報設定通知として通知する（ステップＳ７０５）。
【００６２】
サーバ２００は、携帯通信装置１００より受信した情報設定通知に基づいて、詳細情報の変更を行い、変更が完了すると、情報設定応答として、設定要求した詳細情報の情報識別ＩＤを携帯通信装置へ返信する（ステップＳ７０６）。
【００６３】
携帯通信装置１００は情報識別ＩＤの設定を行いサーバ２００と同期をとる（ステップＳ７０７）。
【００６４】
図８において、サーバ２００内に格納している詳細情報等を削除したい場合には、まず携帯通信装置１００は、サーバ２００へ情報削除通知と情報識別ＩＤを通知する（ステップＳ８０１）。ここで情報削除通知は、サーバに格納してある詳細情報などを指定するものである。情報識別ＩＤは削除対象である情報に対応する情報識別ＩＤである。
【００６５】
サーバ２００は、携帯通信装置１００は情報削除通知と対応する情報識別ＩＤを受信すると、サーバ２００は、情報設定手段２０４の制御に基づいて、送受信情報格納手段２０２に格納されている指定された情報を削除する。
【００６６】
サーバ２００は、情報の削除が正常に行われた場合には、情報削除応答と情報識別ＩＤを携帯通信装置１００にサーバ送受信手段２０１を用いて返信する（ステップＳ８０２）。このとき、携帯通信装置１００に送信する情報削除応答は、サーバ２００において、携帯通信装置１００から要求された所定の情報の削除を完了した旨の通知情報である。そして情報識別ＩＤは削除した情報に対応する情報識別ＩＤである。
【００６７】
携帯通信装置１００は、サーバ２００内の削除した情報であって同一の情報を有する場合には、装置操作手段１０７の制御に基づいて、携帯通信装置１００内の情報も削除し、携帯通信装置１００とサーバ２００との情報の同期をとる（ステップＳ８０３）。
次に本発明の携帯通信装置の一括で情報を処理するための処理について、シーケンス図を参照して説明する。図９は携帯通信装置におけるサーバ格納情報の一括取得（全情報のファイル形式）のシーケンス図であり、図１０は携帯通信装置におけるサーバ格納情報の一括設定（全情報のファイル形式）のシーケンス図である。
【００６８】
図９において、まず携帯通信装置１００は、サーバ２００へ一括情報取得情報を装置送受信手段１０１を用いて通知する（ステップＳ９０１）。
【００６９】
そしてサーバ２００は装置送受信手段１０１により携帯通信装置１００から一括情報取得情報を受信した後、サーバ２００の送受信情報格納手段２０２に格納されている全詳細情報と、それらに対応する情報識別ＩＤおよび一括情報通知を携帯通信装置１００にサーバ送受信手段２０１を用いて通知する（ステップＳ９０２）。
【００７０】
そして、携帯通信装置１００は、サーバ２００から一括情報通知された詳細情報等を携帯通信装置１００の情報設定を行わずに、テキスト形式としてファイル出力する（ステップＳ９０３）。
【００７１】
携帯通信装置１００は、サーバ２００から受信した情報量が多く、装置送受信手段１０１において一度に受信できない場合には、分割受信をして随時出力情報をテキスト形式として作成するものとする。
【００７２】
また、携帯通信装置１００において、出力されたテキスト形式のファイルはエディタなどのツールを用いて編集が行うことが可能である。
【００７３】
携帯通信装置１００は、全情報をサーバが送信し終わると、サーバ２００から送信完了である旨の一括情報取得応答を受信する（ステップＳ９０４）。
【００７４】
ここでサーバ２００から受信する詳細情報等をテキスト形式のファイルとして作成するタイミングは、サーバ２００から一括情報取得応答を受信した後であっても構わない。
【００７５】
さらには、詳細情報を変換する形式はテキスト形式に限られることはなく、他の編集ツールが使える形式であってもよいし、編集不可能形式であってもよいし、一部編集可能な形式であっても構わない。さらにはセキュリティが、かけられている形式でも構わない。
【００７６】
図１０において、携帯通信装置１００は、まずファイルから情報を入力し（ステップＳ１００１）、サーバ２００へ一括情報設定通知を装置送受信手段１０１を用いて通知する（ステップＳ１００２）。そして携帯通信装置１００は、図９のフローにおいて、エディタなどのツールを用いて変更したファイル形式情報もサーバ２００に対して通知する。
【００７７】
なお、エディタとは携帯通信装置１００内に具備されているものでも記憶媒体で格納した情報をパーソナルコンピュータ等の他の電子機器のエディタを用いてもよい。
【００７８】
携帯通信装置１００は、サーバ２００へ一括情報設定通知を装置送受信手段１０１を用いて送信場合に、サーバ２００へ送信した情報量が多く、装置送受信手段１０１において一度に送信できない場合には、分割送信をして随時出力情報をテキスト形式として作成して一括情報設定通知を送信する。
【００７９】
携帯通信装置１００は、装置送受信手段１０１を用いてファイル形式情報の全てを送信完了後、送信が完了した旨の一括情報送信完了通知を装置送受信手段１０１を用いてサーバへ送信する（ステップＳ１００３）。
【００８０】
そして携帯通信装置１００は、サーバ２００より一括情報設定応答として完了通知を受信する（ステップＳ１００４）。
【００８１】
なお、設定が異常と通知された場合は、再度内容を確認し異常個所を修正したのち再度一括登録を行うことが可能である。
【００８２】
また、サーバ２００への設定のみを実施しているので、図４に示した一括情報識別取得情報によりサーバ２００と同期をとる。サーバ２００との同期のタイミングは、一括情報設定後に一括情報取得情報によりサーバと同期をとるとしても構わない。
【００８３】
次に本発明の携帯通信装置により通話するための処理について、シーケンス図を参照して説明する。図１１は携帯通信装置における呼接続処理（呼接続・発呼同時型(既存に近い接続)）のシーケンス図であり、図１２は携帯通信装置における呼接続処理（呼接続・発呼分離型）のシーケンス図であり、図１３は携帯通信装置における着信呼接続処理のシーケンス図である。
【００８４】
図１１において、携帯通信装置１００は、サーバ２００へ呼接続通知を情報識別ＩＤと共に装置送受信手段１０１を用いて通知する（ステップＳ１１０１）。その後、携帯通信装置１００は、伝送路系交換機から発呼を受信し（ステップＳ１１０２）、呼出を応答として伝送路系交換機へ返信を行う（ステップＳ１１０３）。
【００８５】
携帯通信装置１００は、サーバ２００へ応答を返信する（ステップＳ１１０４）ことにより通話パスが接続される。そしてサーバ２００は携帯通信装置１００からの応答に対して、呼接続応答を返信する（ステップ１１０５）。さらに携帯通信装置１００は呼出、応答をサーバから受信して（ステップＳ１１０６、Ｓ１１０７）、これらの一連の処理は携帯通信装置１００の所有者のアクションはないものとし、所有者には既存手順と同等に感じることができる。そして、着信相手が応答すれば通信可能となる。
【００８６】
なお、呼接続応答以降の呼出、応答については、着信相手側のリアクションによるもので、既存接続手順と同じであるため説明は省略する。
【００８７】
図１２において、携帯通信装置１００はサーバ２００へ呼接続通知を情報識別ＩＤと共に通知を行う（ステップＳ１２０１）。
【００８８】
サーバ２００は、呼接続通知を携帯通信装置１００よりサーバ送受信手段２０１により受信すると、呼接続応答を携帯通信装置１００へ返信する（ステップＳ１２０２）。
【００８９】
その後、携帯通信装置１００は、伝送路系交換機から発呼が通知され（ステップＳ１２０３）、呼出を返信する（ステップＳ１２０４）。ここで携帯通信装置１００が呼鈴により使用者のアクションによる応答を待つ呼び出し状態となる（ステップＳ１２０５）。
【００９０】
またここでアクションによる応答を待つ状態は呼鈴設定である必要はなく、他の例えば携帯電話機等におけるマナーモードやそれに相当するものであってもよい。
【００９１】
ユーザが携帯通信装置に搭載の通話ボタン押下する（ステップＳ１２０６）ことで通話パスが接続される。このとき、通話パスの接続に対して、着信相手が応答していなければ呼出中を示す音が受話器から聞こえており、着信相手が応答すると通話中になる（ステップＳ１２０７）。また、着信相手が既に応答していればすぐに通話中となる。
【００９２】
なお、呼接続通知において、サーバ側に対応する情報識別ＩＤがなかった場合は、呼接続応答として情報なしが通知される。
【００９３】
図１３において、携帯通信装置１００は、発信相手から着信呼があった場合、伝送路系交換機から携帯通信装置１００に呼接続を装置送受信手段１０１を用いて受信する（ステップＳ１３０１）。
【００９４】
携帯通信装置１００は、この通知情報内の発信番号をキーに情報識別ＩＤを特定するためにサーバ２００へ情報識別ＩＤ取得通知を電話番号と共に通知する（ステップＳ１３０２）。
【００９５】
そして、携帯通信装置１００はサーバ２００から情報識別ＩＤ取得応答と情報識別ＩＤを装置送受信手段１０１を用いて受信する（ステップＳ１３０３）。
【００９６】
携帯通信装置１００は、サーバ２００からの情報識別ＩＤと情報識別ＩＤ管理手段１０５により管理している予め持っている情報識別ＩＤとを比較し（ステップＳ１３０４）、携帯通信装置１００内に一致する情報識別ＩＤが存在する場合には、対応する認識情報が携帯通信装置１００において情報表示手段１０４を用いて表示される（ステップＳ１３０５）。
【００９７】
また、サーバからの情報識別ＩＤと情報識別管理手段により管理している予め持っている情報識別ＩＤとを比較し（ステップＳ１３０４）、携帯通信装置内に一致する情報識別ＩＤが存在しない場合には、未登録者からの着信であると判断し、電話番号が携帯通信装置において情報表示手段を用いて表示される（ステップＳ１３０６）。
【００９８】
携帯通信装置１００は、呼出音が鳴らして呼出を伝送路系交換機へ通知したあと（ステップＳ１３０７）、通話キーを押下する（ステップＳ１３０８）ことによって応答を通知し（ステップＳ１３０９）通話中となる。
【００９９】
次に本発明の携帯通信装置においてのメール送信の処理について、シーケンス図を参照して説明する。図１４は携帯通信装置におけるメール送信処理のシーケンス図であり、図１５は携帯通信装置におけるメール受信処理のシーケンス図である。
【０１００】
図１４において、携帯通信装置１００は、サーバ２００へメール送信通知を情報識別ＩＤと共に装置送受信手段１０１を用いて通知する（ステップＳ１４０１）。
【０１０１】
そして携帯通信装置１００は、サーバ２００側へメール送信後に、サーバ２００よりメール送信応答を受信する（ステップＳ１４０２）。ここでサーバ２００が携帯通信装置１００に送信するメール送信応答には送信結果が付与されているものとする。
【０１０２】
なお、携帯通信装置１００は、メール送信通知において、サーバ２００側に対応する情報識別ＩＤがなかった場合は、メール送信応答として情報なしが通知される。
【０１０３】
図１５において、携帯通信装置は、伝送路系交換機からメール受信を受信する（ステップＳ１５０１）と、サーバ２００へ情報識別ＩＤ取得通知をメールアドレスと共に通知する（ステップＳ１５０２）。
【０１０４】
そして携帯通信装置１００は、サーバ２００から情報識別ＩＤ取得応答として情報識別ＩＤが通知され（ステップＳ１５０３）、受信メールがあることを携帯通信装置上に情報表示手段を用いて表示する（ステップＳ１５０４）。
【０１０５】
携帯通信装置１００の所有者がメール問い合わせ操作を行う（ステップＳ１５０５）と、サーバ２００へメール問い合わせ通知が通知され（ステップＳ１５０６）、メール受信通知が情報識別ＩＤと共に通知される（ステップＳ１５０７）。
【０１０６】
なお、複数件のメールが存在していた場合には、サーバ２００から携帯通信装置１００へ複数回の通知がある。
【０１０７】
次に本発明のサーバの情報操作処理について、シーケンス図を参照して説明する。図１６はサーバにおける携帯通信装置からの情報の取得要求（情報識別ＩＤ及び認識情報の取得）を示すシーケンス図であり、図１７は携帯通信装置におけるサーバ格納情報の取得（情報識別ＩＤ及び認識情報の取得）時の処理を示すシーケンス図であり、図１８はサーバにおける携帯通信装置からの詳細情報要求の新規情報設定のシーケンス図であり、図１９はサーバにおける携帯通信装置からの新規情報設定要求のシーケンス図であり、図２０はサーバにおける携帯通信装置からの情報削除を要求する。
【０１０８】
図１６において、サーバ２００は、携帯通信装置１００から一括情報識別取得情報をサーバ送受信手段２０１を用いて受信する（ステップＳ１６０１）と、サーバ２００内で管理しているデータ全件の検索を情報検索手段２０５を用いて行い（ステップＳ１６０２）、携帯通信装置１００に対して一括情報識別情報をサーバ送受信手段を用いて通知する（ステップＳ１６０４）。ここで一括情報識別情報は、情報識別ＩＤと認識情報より構成されるものである。例えば認識情報は所有者の友達や同僚等の名前、電話番号、メールアドレス等といった個々の詳細情報を指定する情報である。
【０１０９】
そしてサーバ２００が携帯通信装置１００へ送信可能な情報の送信量には制限があるため、一定の間隔で送信バッファ量のチェックを行い（ステップＳ１６０３）、バッファ量がなくなった場合には、送信バッファに蓄積された情報を携帯通信装置１００に送信する（ステップＳ１６０４）。その後、バッファに続きの送信する情報を蓄積し、送信バッファ量のチェックを行い、バッファ量がなくなったら携帯通信装置に情報を送信する処理を繰り返し行う。バッファに蓄積した全件分の情報の通知が完了した後、一括情報識別取得応答を携帯通信装置１００へサーバ送受信手段２０１を用いて返信する（ステップＳ１６０５）。
【０１１０】
一括情報取得応答は格納されている詳細情報の複数を選択可能とするが、携帯通信装置に保存する情報量については、情報領域のメモリ量によって格納できる情報数は制限されることとなるため、情報量の設定も可能なものとし、所有者の使用用途により可変可能な構成とする。
【０１１１】
ここでバッファに関しては、図２のサーバのブロック図には記載していないが、例えばサーバ送受信手段２０１内に設けられていてもよいし、サーバ送受信手段２０１とは別のハード構成として構成されていても構わない。
【０１１２】
図１７において、サーバ２００は携帯通信装置１００から意味の持たない情報識別ＩＤと情報設定情報をサーバ送受信手段２０１を用いて受信する（ステップＳ１７０１）。ここで意味の持たない情報識別ＩＤとは、サーバに未登録であって新たに登録する詳細情報に対する情報識別ＩＤであって、詳細情報に未だに付与されていないことを明示したものである。図中では「意味を持たない」と表すために情報識別ＩＤの後続に「なし」と記載して示してある。
【０１１３】
そしてサーバ２００は、送受信情報格納手段２０２内に新規追加として詳細情報を格納し、情報設定手段２０４を用いて情報を設定した後にそれぞれの詳細情報に対して情報種別ＩＤを割り当てる（ステップＳ１７０２）。
【０１１４】
サーバ２００は、携帯通信装置１００へ情報設定応答として、設定した情報種別ＩＤを抽出して（ステップＳ１７０３）、携帯通信装置１００へサーバ送受信手段２０１を用いて返信する（ステップＳ１７０４）。
【０１１５】
図１８において、サーバ２００は携帯通信装置１００から情報取得情報と情報識別ＩＤをサーバ送受信手段２０１を用いて受信する（ステップＳ１８０１）。
【０１１６】
そして、サーバ２００は、送受信情報格納手段２０２に格納されている情報から情報識別ＩＤの検索を行い、携帯通信装置１００より受信した情報識別ＩＤと一致する情報識別ＩＤの詳細情報を抽出して（ステップＳ１８０２）、それを情報取得応答として携帯通信装置へサーバ送受信手段を用いて返信する（ステップＳ１８０３）。情報取得応答は、情報識別ＩＤと名前とメールアドレスなどといったサーバ内に登録してある詳細情報より構成されるものである。
【０１１７】
これにより、携帯通信装置１００の所有者は、携帯通信装置１００の情報表示手段１０４を用いて、サーバ２００より受信した詳細情報等を表示することによってサーバ２００に格納してある情報を確認することができる。
【０１１８】
図１９において、図１８と同様に、まずサーバ２００は携帯通信装置１００から情報取得情報と情報識別ＩＤをサーバ送受信手段２０１を用いて受信する（ステップＳ１９０１）。
【０１１９】
そして、サーバ２００は送受信情報格納手段２０２に格納されている情報から情報識別ＩＤの検索を行い、携帯通信装置より受信した情報識別ＩＤと一致する情報識別ＩＤの詳細情報を抽出して（ステップＳ１９０２）、それを情報取得応答として、携帯通信装置へサーバ送受信手段を用いて返信する（ステップＳ１９０３）。ここで情報取得応答は、情報識別ＩＤと名前とメールアドレスなどといったサーバ内に登録してある詳細情報より構成されるものである。
【０１２０】
携帯通信装置１００の所有者は、携帯通信装置１００の情報表示手段１０４を用いて、サーバ２００より受信した詳細情報等を表示し、サーバ２００に格納してある情報を確認する。
【０１２１】
携帯通信装置１００は、装置操作手段１０７の制御に基づいて、詳細情報管理手段１０３によって詳細情報の内容変更を行う。そして携帯通信装置は、変更対象となる詳細情報の情報識別ＩＤと詳細情報を情報設定通知として通知する（ステップＳ１９０４）。
【０１２２】
そしてサーバ２００は、携帯通信装置１００より情報設定通知をサーバ送受信手段を用いて受信した後、送受信情報格納手段２０２に格納されている情報から情報識別ＩＤの検索を情報検索手段２０５を用いて行い、携帯通信装置１００より受信した情報識別ＩＤと一致する情報識別ＩＤの詳細情報を設定（具体的には、上書き設定）を行い（ステップＳ１９０５）、情報設定応答として、設定要求した詳細情報の情報識別ＩＤを携帯通信装置へ返信する（ステップＳ１９０６）。
【０１２３】
また携帯通信装置は情報識別ＩＤの設定を行いサーバと同期をとる。
【０１２４】
図２０において、サーバ２００は携帯通信装置１００から情報削除通知と情報識別ＩＤをサーバ送受信手段２０１を用いて受信する（ステップＳ２００１）。ここで情報削除通知は、サーバ２００に格納してある詳細情報などを指定するものである。さらにここでいう情報識別ＩＤは削除対象である情報に対応する情報識別ＩＤである。
【０１２５】
そしてサーバ２００は送受信情報格納手段２０２に格納されている情報から情報検索手段２０５を用いて、情報識別ＩＤの検索を行い（ステップＳ２００２）、携帯通信装置より受信した情報識別ＩＤと一致する情報識別ＩＤの詳細情報と情報識別ＩＤを情報設定手段２０４の制御に基づいて、削除する（ステップＳ２００３）。
【０１２６】
そしてサーバ２００は、情報の削除が正常に行われた場合には、情報削除応答と情報識別ＩＤを携帯通信装置１００にサーバ送受信手段２０１を用いて送信する（ステップＳ２００４）。
【０１２７】
このとき、携帯通信装置１００に送信する情報削除応答は、サーバ２００において、携帯通信装置１００から要求された所定の情報の削除を完了した旨の通知情報である。そして情報識別ＩＤは削除した情報に対応する情報識別ＩＤである。
【０１２８】
携帯通信装置１００は、サーバ２００内の削除した情報であって同一の情報を有する場合には、装置操作手段１０７の制御に基づいて、情報携帯通信装置１００内の情報も削除し、携帯通信装置とサーバ２００との情報の同期をとる。
【０１２９】
次に本発明のサーバにおける一括で情報を処理するための処理について、シーケンス図を参照して説明する。図２１はサーバにおける携帯通信装置からの情報一括取得要求（全情報ファイル形式）のシーケンス図であり、図２２はサーバにおける携帯通信装置からの情報一括設定要求（全情報ファイル形式）のシーケンス図である。
【０１３０】
図２１において、サーバ２００は携帯通信装置１００から一括情報取得情報をサーバ送受信手段２０１を用いて受信すると（ステップＳ２１０１）、サーバ２００内で管理しているデータ全件の検索を情報検索手段２０５を用いて行い（ステップＳ２１０２）、サーバ２００の送受信情報格納手段２０２に格納されている全詳細情報と、それらに対応する情報識別ＩＤおよび一括情報通知を携帯通信装置に装置送受信手段を用いて通知する（ステップＳ２１０４）。
【０１３１】
そしてサーバ２００が携帯通信装置１００へ送信可能な情報の送信量には制限があるため、一定の間隔で送信バッファ量のチェックを行い（ステップＳ２１０３）、バッファ量がなくなった場合には、送信バッファに蓄積された情報を携帯通信装置に送信する（ステップＳ２１０４）。その後、バッファに続きの送信する情報を蓄積し、送信バッファ量のチェックを行い、バッファ量がなくなったら携帯通信装置に情報を送信する処理を繰り返し行う。バッファに蓄積した全件分の情報の通知が完了した後、一括情報取得応答を携帯通信装置１００へサーバ送受信手段２０１を用いて返信する（ステップＳ２１０５）。
【０１３２】
一括情報取得応答は格納されている詳細情報の複数を選択可能とするが、携帯通信装置に保存する情報量については、情報領域のメモリ量によって格納できる情報数は制限されることとなるため、情報量の設定も可能なものとし、所有者の使用用途により可変可能な構成とする。
【０１３３】
ここでバッファに関しては、図２のサーバ２００のブロック図には記載していないが、例えばサーバ送受信手段内に設けられていてもよいし、サーバ送受信手段２０１とは別のハード構成として構成されていても構わない。
【０１３４】
図２２において、サーバ２００は携帯通信装置１００から一括情報設定情報をサーバ送受信手段２０１を用いて受信する（ステップＳ２２０１）。ここでサーバが携帯通信装置より受信した情報量が多く、サーバ送受信手段２０１において一度に受信できない場合には、分割受信をして一括情報設定通知を受信する（ステップＳ２２０１）。
【０１３５】
サーバ２００は通知されたファイル形式の詳細情報をサーバ内で管理しているデータ全件を対象に整合をとり差分情報は設定及び削除を行う（ステップＳ２２０２）。
【０１３６】
そしてサーバ２００は携帯通信装置１００からの一括情報送信完了通知を受信する（ステップＳ２２０３）と整合処理は終了し一括情報設定応答を携帯通信装置１００に返信する（ステップＳ２２０４）。
【０１３７】
次に本発明の通話を行う上でのサーバ処理について、シーケンス図を参照して説明する。図２３はサーバにおける呼接続処理（呼接続・発呼同時型(既存に近い接続)）のシーケンス図であり、図２４はサーバにおける呼接続処理（呼接続・発呼分離型）のシーケンス図であり、図２５はサーバにおける着信呼接続処理のシーケンス図である。
【０１３８】
図２３において、サーバ２００は、携帯通信装置１００から呼接続通知を情報識別ＩＤと共にサーバ送受信手段２０１を用いて受信する（ステップＳ２３０１）。
【０１３９】
その後サーバ２００は、情報検索手段２０５を用いて、送受信情報格納手段２０２に格納されている情報識別ＩＤの中から携帯通信装置１００より受信した情報識別ＩＤの検索を行い（ステップＳ２３０２）、一致した情報識別ＩＤに対応する着信先の電話番号情報を取得する。また情報検索手段２０５を用いて検索した結果、情報識別ＩＤと一致する情報がない場合は、携帯通信装置１００に情報なしの呼接続応答をサーバ送受信手段２０１を用いて行う（ステップＳ２３０３）。
【０１４０】
サーバ２００は、着信相手先の電話番号情報を抽出できた場合、先ず発信側の通話パス接続を行う処理を行うため、伝送路系交換機に発呼通知を行う（ステップＳ２３０４）。
【０１４１】
そしてサーバ２００は、伝送路系交換機から呼出通知（ステップＳ２３０５）及び応答通知（ステップＳ２３０６）を待つ待ち状態になり、また携帯通信装置へは呼接続応答をサーバ送受信手段２０１を用いて返信する（ステップＳ２３０７）。
【０１４２】
サーバ２００は、伝送路系交換機よりサーバ送受信手段２０１を用いて呼出通知および応答通知を受信して発信側の通話パス接続は完了状態となり、着信相手先電話番号を用いて着信相手側との通話パス接続手順が行われる。
【０１４３】
サーバ２００は、サーバ送受信手段２０１を用いて着信相手側に発呼を送信し（ステップＳ２３０８）、着信相手から呼出を受信する（ステップＳ２３０９）と発信側への呼出信号を送出し呼出中となる（ステップＳ２３１０）。
【０１４４】
そしてサーバ２００は、着信相手からサーバ送受信手段２０１を用いて応答を受信すると（ステップＳ２３１１）、発信側に応答をサーバ送受信手段２０１を用いて送信し、通話中となる（ステップ２３１２）。
【０１４５】
図２４において、サーバ２００は携帯通信装置１００から呼接続通知を情報識別ＩＤと共にサーバ送受信手段２０１を用いて受信する（ステップＳ２４０１）。
【０１４６】
その後サーバ２００は、情報検索手段２０５を用いて、送受信情報格納手段２０２に格納されている情報識別ＩＤの中から携帯通信装置１００より受信した情報識別ＩＤの検索を行い（ステップＳ２４０２）、一致した情報識別ＩＤに対応する着信先の電話番号情報を取得する。また情報検索手段を用いて検索した結果、情報識別ＩＤと一致する情報がない場合は、携帯通信装置に情報なしの呼接続応答を、サーバ送受信手段２０１を用いて行う（ステップＳ２４０３）。
そしてサーバ２００は、着信相手先電話番号を抽出できた場合、携帯通信装置１００へは呼接続応答を返信を行い、発信側の通話パス接続を行う処理を行う（ステップＳ２４０４）。
そしてサーバ２００は、サーバ送受信手段２０１を用いて伝送路系交換機に発呼通知を行い（ステップＳ２４０５）、呼出通知及び応答通知を待つ状態となる（ステップＳ２４０６）。
またサーバ２００は、サーバ送受信手段２０１を用いて、着信相手側にも発呼通知を行い（ステップＳ２４０７）、呼出通知及び応答通知を待つ状態となる（ステップＳ２４０８）。
そしてサーバ２００は、発着装置からの応答信号受信にて通話パス接続を行い、発着どちらかが未接続状態の場合は、通話パス接続済装置に対して、呼出中を示す音声が受話器より聞こえてくる（ステップＳ２４０９）。但し、着信相手側は電話を受ける側であり、受けた時に呼出音が聞こえてくるのに対し違和感がある場合を考慮して、呼出音とは違う音声等が聞こえるなどしてもよい。
双方から応答がある（ステップＳ２４１０）と発着装置双方でパス接続され通話中となる。このとき、先に応答した装置に対して呼出から通話中を明示するために応答を通知してもよい。
【０１４７】
図２５において、サーバ２００は、発信相手からの着信呼があった場合、携帯通信装置１００から着信呼接続通知を電話番号と共にサーバ送受信手段２０１を用いて受信する（ステップＳ２５０１）。
【０１４８】
そしてサーバ２００は、情報検索手段２０５を用いて、送受信情報格納手段２０２に格納されている電話番号の中から携帯通信装置１００より受信した電話番号の検索を行い、一致した電話番号に対応する情報識別ＩＤを取得する（ステップＳ２５０２）。  
【０１４９】
サーバ２００は、取得した情報識別ＩＤを情報識別ＩＤ取得応答として携帯通信装置１００へサーバ送受信手段２０１を用いて返信する（ステップＳ２５０３）。
【０１５０】
次に本発明のメール送受信を行う上でのサーバ処理について、シーケンス図を参照して説明する。図２６はサーバにおけるメール送信処理のシーケンス図であり、図２７はサーバにおけるメール受信処理のシーケンス図である。
【０１５１】
図２６において、サーバ２００は、携帯通信装置１００からメール送信通知を情報識別ＩＤと共にサーバ送受信手段２０１を用いて受信する（ステップＳ２６０１）。
【０１５２】
そしてサーバ２００は、情報検索手段２０５を用いて、送受信情報格納手段２０２に格納されている情報識別ＩＤの中から携帯通信装置１００より受信した情報識別ＩＤの検索を行い（ステップＳ２６０２）、メール送信宛先のメールアドレスを取得する。また情報検索手段２０５を用いて検索した結果、情報識別ＩＤと一致する情報がない場合は、携帯通信装置１００に情報なしのメール送信応答を、サーバ送受信手段２０１を用いて行う（ステップＳ２６０３）。
【０１５３】
そしてサーバ２００は、メール送信宛先のメールアドレスの取得ができたらTo:情報を送信先メールアドレスに情報設定手段を用いて書き換え、またFrom情報を発信元メールアドレス（サーバ情報を管理している者のメールアドレス）に情報設定手段２０４を用いて書き換え、メール送信をサーバ送受信手段２０１を用いて行う（ステップＳ２６０４）。
【０１５４】
そしてサーバ２００は、メール送信応答として送信結果をサーバ送受信手段２０１を用いて、携帯通信装置１００へ送信し（ステップＳ２６０５）、メール送信結果を受信し（ステップＳ２６０６）、メール送信通知応答をサーバ送受信手段２０１を用いて、携帯通信装置１００へ通知する（ステップＳ２６０７）。
【０１５５】
図２７において、サーバ２００は、携帯通信装置１００からメール送信通知を情報識別ＩＤと共にサーバ送受信手段２０１を用いて受信する。
【０１５６】
そしてサーバ２００は、情報検索手段２０５を用いて、送受信情報格納手段２０２に格納されている情報識別ＩＤの中から携帯通信装置１００より受信した情報識別ＩＤの検索を行い（ステップＳ２７０１）、メール送信宛先のメールアドレスを取得する。また情報検索手段を用いて検索した結果、情報識別ＩＤと一致する情報がない場合は、携帯通信装置１００に情報なしの応答を、サーバ送受信手段２０１を用いて行う（ステップＳ２７０２）。
【０１５７】
そしてサーバ２００は、メール送信宛先のメールアドレスの取得ができたらTo:情報を送信先メールアドレスに情報設定手段を用いて書き換え、またFrom情報を発信元メールアドレス（サーバ情報を管理している者のメールアドレス）に情報設定手段２０４を用いて書き換え、情報識別ＩＤ取得応答をサーバ送受信手段２０１を用いて行う（ステップＳ２７０４）。
【０１５８】
サーバ２００は、携帯通信装置１００からメール受信問い合わせ通知をサーバ送受信手段を用いて受信する（ステップＳ２７０５）。
【０１５９】
そしてサーバ２００は、メールセンタに対して問い合わせを行い（ステップＳ２７０６）、結果として（ステップＳ２７０７）、メールがあるかないかを判断し（ステップＳ２７０８）、受信情報がない場合は、受信メールなしの応答をサーバ送受信手段２０１を用いて行う（ステップＳ２７０９）。また、携帯通信装置からメール受信がある場合、Fromアドレスから識別情報ＩＤの検索を情報検索手段２０５を用いて行い、識別情報ＩＤをメール受信問い合わせ応答としてサーバ送受信手段２０１を用いて応答する。
【０１６０】
サーバ２００は、携帯通信装置１００からメール受信通知をサーバ送受信手段２０１を用いて受信すると、メールセンタ受信通知を行う（ステップＳ２７１０）。
【０１６１】
サーバ２００は、メールセンタからメール内容を受信し（ステップＳ２７１１）、メール内容のFrom:アドレスから識別情報ＩＤの検索を情報検索手段２０５を用いて行い（ステップＳ２７１２）、識別ＩＤとメール内容と共に携帯通信装置１００へメール受信通知を行う（ステップＳ２７１３）。
【０１６２】
以上説明したシーケンスは本発明を実施するための一例であって、シーケンス内に示す各ステップの順序を入れ替えたとしても同様の効果が得られるのならば、各ステップの入れ替えを行っても構わない。
【０１６３】
以上のような構成及び動作によって、携帯通信装置とサーバが連携することで、サーバが情報を管理し、その情報を元にサーバが主導権をもって呼接続・メール送信などのサービスを受けられることとなる。
【０１６４】
また以上述べた本発明の携帯通信装置の実施形態の変形例、その他の技術的な拡張事項等を以下に列挙する。
【０１６５】
（１）  上記実施形態では、携帯通信装置として携帯電話機を例にとり説明したが、これに限定されるものではなく、通信可能な情報処理装置であればいずれの情報処理装置であっても構わない。
【０１６６】
（２）  上記実施形態では、全データをファイル形式に変換して制御を行っていたがこれに限定されるものではなく、データをファイル形式に変換せずに制御を行っても構わないし、一部のデータのみファイル形式に変換してもよい。
【０１６７】
次に、以上述べた携帯通信装置の実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１６８】
（付記１）  
情報処理装置の蓄積情報を管理することが可能な情報管理装置と通信可能な情報処理装置において、
該蓄積情報の中から所定の情報を識別して該情報管理装置から呼び出すための識別情報を格納する格納手段と、
該格納手段に格納してある該識別情報を編集し管理する識別情報管理手段と、
該識別情報管理手段において管理する情報を該情報管理装置に送信するために、該蓄積情報の取得指示を行い、該情報管理装置と該識別情報及び該蓄積情報を送受信する情報送受信手段と、
を有することを特徴とする情報処理装置。
【０１６９】
（付記２）
付記１に記載の情報処理装置は、
該情報送受信手段において送受信する該識別情報及び該蓄積情報が一度の送受信可能か否かを判断する送受信情報容量判断手段と、
該送受信情報容量判断手段において、該識別情報及び該蓄積情報を一度に送受信できないと判断した場合に、該識別情報及び該蓄積情報を分割する情報分割手段と、
をさらに有することを特徴とする情報処理装置。
【０１７０】
（付記３）
該情報送受信手段は、該情報分割手段において分割した該識別情報及び該蓄積情報を分割送信することを特徴とする付記２に記載の情報処理装置。
【０１７１】
（付記４）
該情報分割手段は、該識別情報及び該蓄積情報を該情報送受信手段において送信可能なサイズに分割することを特徴とする付記２に記載の情報処理装置。
【０１７２】
（付記５）
付記２に記載の情報処理装置は、
該情報送受信手段において、受信した該識別情報及び該蓄積情報が分割されたものである場合に、分割された該識別情報及び該蓄積情報を復元する情報復元手段と、
をさらに有することを特徴とする情報処理装置。
【０１７３】
（付記６）
付記１に記載の情報処理装置は、
該蓄積情報及び該識別情報をファイル形式に変換する手段と、
をさらに有することを特徴とする情報処理装置。
【０１７４】
（付記７）
情報処理装置と通信可能であって、情報処理装置の蓄積情報を管理することが可能な情報管理装置において、
該蓄積情報を格納する情報格納手段と、
該蓄積情報の中から所定の情報を識別して該情報管理装置から呼び出すための識別情報によって管理する情報管理手段と、
該蓄積情報及び該識別情報を検索可能な情報検索手段と、
該情報検索手段において、検索した識別情報を編集設定する識別情報設定手段と、
該情報処理装置と該識別情報及び該蓄積情報を送受信する情報送受信手段と、
を有することを特徴とする情報管理装置。
【０１７５】
（付記８）
付記７に記載の情報管理装置は、
該情報送受信手段において送受信する該識別情報及び該蓄積情報が一度の送受信可能か否かを判断する送受信情報容量判断手段と、
該送受信情報容量判断手段において、該識別情報及び該蓄積情報を一度に送受信できないと判断した場合に、該識別情報及び該蓄積情報を分割する情報分割手段と、
をさらに有することを特徴とする情報管理装置。
【０１７６】
（付記９）
該情報送受信手段は、伝送路系交換機装置に対して信号を送受信することも可能であることを特徴とする付記７または８に記載の情報管理装置。
【０１７７】
（付記１０）
情報処理装置の蓄積情報を管理することが可能な情報管理装置と該蓄積情報を通信可能とする情報蓄積プログラムにおいて、
該蓄積情報の中から所定の情報を識別して該情報管理装置から呼び出すための識別情報を格納する格納ステップと、
該識別情報を編集し管理する識別情報管理ステップと、
該識別情報管理手段において管理する情報を該情報管理装置に送信するために、該蓄積情報の取得指示を行い、該情報管理装置と該識別情報及び該蓄積情報を送受信する情報送受信ステップと、
をコンピュータに実行させることを特徴とする情報蓄積プログラム。
【０１７８】
（付記１１）  
情報処理装置の蓄積情報を管理することが可能な情報管理装置と該蓄積情報を通信可能とする情報蓄積方法において、
該蓄積情報の中から所定の情報を識別して該情報管理装置から呼び出すための識別情報を格納する格納手順と、
該識別情報を編集し管理する識別情報管理手順と、
該識別情報管理手段において管理する情報を該情報管理装置に送信するために、該蓄積情報の取得指示を行い、該情報管理装置と該識別情報及び該蓄積情報を送受信する情報送受信手順と、
からなることを特徴とする情報蓄積方法。
【図面の簡単な説明】
【０１７９】
【図１】携帯通信装置の構成を示すブロック図
【図２】情報管理サーバの構成を示すブロック図
【図３】網の構成例を示す図
【図４】携帯通信装置におけるサーバ格納情報の取得シーケンス図
【図５】携帯通信装置におけるサーバ格納情報への新規情報設定シーケンス図
【図６】携帯通信装置におけるサーバ格納情報の情報表示シーケンス図
【図７】携帯通信装置におけるサーバ格納情報の情報変更シーケンス図
【図８】携帯通信装置におけるサーバ格納情報の削除シーケンス図
【図９】携帯通信装置におけるサーバ格納情報の一括取得シーケンス図
【図１０】携帯通信装置におけるサーバ格納情報の一括設定シーケンス図
【図１１】携帯通信装置における呼接続処理シーケンス図
【図１２】携帯通信装置における呼接続処理シーケンス図
【図１３】携帯通信装置における着信呼接続処理シーケンス図
【図１４】携帯通信装置におけるメール送信処理シーケンス図
【図１５】携帯通信装置におけるメール受信処理シーケンス図
【図１６】サーバにおける携帯通信装置からの情報の取得要求シーケンス図
【図１７】サーバにおける携帯通信装置からの新規情報設定要求シーケンス図
【図１８】サーバにおける携帯通信装置からの詳細情報要求シーケンス図
【図１９】サーバにおける携帯通信装置からの新規情報設定要求シーケンス図
【図２０】サーバにおける携帯通信装置からの情報削除要求シーケンス図
【図２１】サーバにおける携帯通信装置からの情報一括取得要求シーケンス図
【図２２】サーバにおける携帯通信装置からの情報一括設定要求シーケンス図
【図２３】サーバにおける呼接続処理シーケンス図
【図２４】サーバにおける呼接続処理シーケンス図
【図２５】サーバにおける着信呼接続処理シーケンス図
【図２６】サーバにおけるメール送信処理シーケンス図
【図２７】サーバにおけるメール受信処理シーケンス図
【符号の説明】
【０１８０】
１００…携帯通信装置
１０１…装置送受信手段
１０２…送受信情報格納手段
１０３…詳細情報管理手段
１０４…情報表示手段
１０５…情報識別ＩＤ管理手段
１０６…ファイル形式変換手段
１０７…装置操作手段
１０８…アンテナ
１０９…無線送受信部
１１０…ベースバンド部
２００…サーバ
２０１…サーバ送受信手段
２０２…送受信情報格納手段
２０３…情報識別ＩＤ管理手段
２０４…情報設定手段
２０５…情報検索手段
２０６…ファイル形式変換手段
２０７…装置操作手段
２０８…アンテナ
２０９…ベースバンド部
２１０…無線送受信部
３０１…携帯通信装置
３０２…携帯通信装置
３０３…基地局
３０４…基地局
３０５…サーバ
３０６…伝送路系交換機
【図１】
2007081517.tif 000003
【図２】
2007081517.tif 000004
【図３】
2007081517.tif 000005
【図４】
2007081517.tif 000006
【図５】
2007081517.tif 000007
【図６】
2007081517.tif 000008
【図７】
2007081517.tif 000009
【図８】
2007081517.tif 000010
【図９】
2007081517.tif 000011
【図１０】
2007081517.tif 000012
【図１１】
2007081517.tif 000013
【図１２】
2007081517.tif 000014
【図１３】
2007081517.tif 000015
【図１４】
2007081517.tif 000016
【図１５】
2007081517.tif 000017
【図１６】
2007081517.tif 000018
【図１７】
2007081517.tif 000019
【図１８】
2007081517.tif 000020
【図１９】
2007081517.tif 000021
【図２０】
2007081517.tif 000022
【図２１】
2007081517.tif 000023
【図２２】
2007081517.tif 000024
【図２３】
2007081517.tif 000025
【図２４】
2007081517.tif 000026
【図２５】
2007081517.tif 000027
【図２６】
2007081517.tif 000028
【図２７】
2007081517.tif 000029